(57)【要約】【課題】意匠性を向上させつつ通気を確保することが可能な空気調和装置を提供する。【解決手段】空調対象空間の上方に配置される空気調和装置であって、ケーシング３と、分割化粧パネル４とを備えている。ケーシング３は、吸込口３４と、吹出口３５とを有している。分割パネルパネル４は、複数の分割パネル４１と、各分割パネル４１の吸込口３４に対する位置を変える開閉可動機構４３と、を有している。開閉可動機構４３は、複数の分割パネル４１が互いに近接して配置されることで吸込口３４を介した空気流れを遮断する状態と、各分割パネル４１が互いに離反して吸込口３４を介した通気を可能にする状態とを切り替える。【選択図】図４
2007285604.tif 000002
【特許請求の範囲】
【請求項１】
空調対象空間の上方に配置される空気調和装置（１）であって、
第１通気口（３４）と、前記第１通気口（３４）を通過する空気が通過する第２通気口（３５ａ〜３５ｄ）とを有するケーシング（３）と、
第１パネル（４１ａ、４１ｂ、４１ｃ、４１ｄ）と第２パネル（４１ａ、４１ｂ、４１ｃ、４１ｄ）との少なくとも２つを含むパネル（４１）と、前記第１通気口（３４）と前記パネル（４１）との相対位置を変化させる可動機構（４３）と、を有するパネル部（４）と、
を備え、
前記可動機構（４３）は、前記第１パネルの一端と前記第２パネルの一端とが近接して位置することで前記第１通気口（３４）を介した空気流れを遮断する第１状態と、前記第１パネルの一端および前記第２パネルの一端が互いに離反して前記第１状態と異なる位置に移動して前記第１通気口（３４）の少なくとも一部を介した空気流れを許可する第２状態と、を切り替える、
空気調和装置（１）。
【請求項２】
前記第１状態では、前記第１パネルの面および前記第２パネルの面と、前記第１通気口の面と、が近接して配置され、
前記第２状態では、前記第１パネルの面および前記第２パネルの面と、前記第１通気口の面と、が前記第１状態よりも互いに離反した位置に配置される、
請求項１に記載の空気調和装置（１）。
【請求項３】
空調対象空間の上方に配置される空気調和装置（１）であって、
第１通気口（３４）と、前記第１通気口（３４）を通過する空気が通過する第２通気口（３５ａ〜３５ｄ）とを有するケーシング（３）と、
端部の第１回転軸を中心として回動する第１パネル（４１ａ、４１ｂ、４１ｃ、４１ｄ）と端部の第２回転軸を中心として回動する第２パネル（４１ａ、４１ｂ、４１ｃ、４１ｄ）との少なくとも２つのパネルと、前記第１通気口（３４）と前記パネル（４１）との相対位置を変化させる可動機構（４３）と、を有するパネル部（４）と、
を備え、
前記可動機構（４３）は、前記第１パネルの面と前記第２パネルの面との向きが前記第１通気口における主な通気方向と略同一であって、前記第１パネルの面と前記第２パネルの面とが略同一平面上に位置することで前記第１通気口（３４）を介した空気流れを遮断する第１状態と、前記第１回転軸が軸となって前記第１パネルが、前記第２回転軸が軸となって前記第２パネルが、それぞれ回動することで、前記第１パネルの面の向きおよび前記第２パネルの面の向きが前記第１通気口における主な通気方向に対して略垂直な方向視において互いに重なるように位置することで前記第１通気口（３４）の少なくとも一部を介した空気流れを許可する第２状態と、を切り替える、
空気調和装置（１）。
【請求項４】
前記パネル部（４）は、パネルスライドスペース（Ｓ）が設けられ、前記第１状態において前記第１パネルおよび前記第２パネルと伴に前記第１吹出口（３４）を介した空気流れを遮断するパネル枠（３３）と、をさらに有し、
前記ケーシング（３）は、前記パネル枠（３３）を支持するケーシング支持部（３８）をさらに有し、
前記第１パネルは、前記第１回転軸に対して反対側の端部であって前記パネルスライドスペース（Ｓ）に対してスライドする第１スライド端をさらに有し、
前記第１回転軸は前記ケーシング支持部（３８）に対して回動可能に支持され、
前記第２パネルは、前記第２回転軸に対して反対側の端部であって前記パネルスライドスペース（Ｓ）に対してスライドする第２スライド端をさらに有し、
前記第２回転軸は前記ケーシング支持部（３８）に対して回動可能に支持される、
請求項３に記載の空気調和装置（１）。
【請求項５】
前記パネル部（４）は、前記ケーシングを支持するパネル支持部（４８）と、前記第１パネルおよび前記第２パネルと伴に前記第１吹出口（３４）を介した空気流れを遮断するパネル枠（３３）と、をさらに有し、
前記ケーシング（３）は、ケーシングスライドスペース（Ｓ）をさらに有し、
前記第１パネルは、前記第１回転軸に対して反対側の端部であって前記ケーシングスライドスペース（Ｓ）に対してスライドする第１スライド端をさらに有し、
前記第１回転軸は前記パネル支持部（４８）に対して回動可能に支持され、
前記第２パネルは、前記第２回転軸に対して反対側の端部であって前記ケーシングスライドスペース（Ｓ）に対してスライドする第２スライド端をさらに有し、
前記第２回転軸は前記パネル支持部（４８）に対して回動可能に支持される、
請求項３に記載の空気調和装置（１）。
【請求項６】
空調対象空間の上方に配置される空気調和装置（１）であって、
第１通気口（３４）と、前記第１通気口（３４）を通過する空気が通過する第２通気口（３５ａ〜３５ｄ）とを有するケーシング（３）と、
第１パネル（４１ａ、４１ｂ、４１ｃ、４１ｄ）と、一端部が前記第１パネルの一端部と共通した第１共通回転軸を構成するように配置された第２パネル（４１ａ、４１ｂ、４１ｃ、４１ｄ）と、前記第１通気口（３４）と前記パネル（４１）との相対位置を変化させる可動機構（４３）と、を有するパネル部（４）と、
を備え、
前記可動機構（４３）は、前記第１パネルの面と前記第２パネルの面との向きが前記第１通気口における主な通気方向と略同一であって、前記第１パネルの面と前記第２パネルの面とが略同一平面上に位置することで前記第１通気口（３４）を介した空気流れを遮断する第１状態と、前記第１共通回転軸を中心として前記第１パネルおよび前記第２パネルがそれぞれ回動し、前記第１パネルの面の向きおよび前記第２パネルの面の向きが前記第１通気口における主な通気方向に対して略垂直な方向視において互いに重なるように位置することで前記第１通気口（３４）の少なくとも一部を介した空気流れを許可する第２状態と、を切り替える、
空気調和装置（１）。
【請求項７】
前記パネル部（４）は、第３パネルと、端部が前記第３パネルの端部と共通している第２共通回転軸を構成するように配置された第４パネルと、をさらに有し、
前記可動機構（４３）は、前記第１状態において、前記第１パネルの面、前記第２パネルの面、前記第３パネルの面および前記第４パネルの面の向きが前記第１通気口における主な通気方向と略同一であって、前記第１パネルの面、前記第２パネルの面、前記第３パネルの面および前記第４パネルの面が略同一平面上に位置することで前記第１通気口（３４）を介した空気流れを遮断し、前記第２状態において、前記第１共通回転軸を中心としてそれぞれが回動することで前記第１パネルと前記第２パネルとが略重なった状態としつつ、前記第２共通回転軸を中心としてそれぞれが回動することで前記第３パネルと前記第４パネルとが略重なった状態とする、
請求項６に記載の空気調和装置（１）。
【請求項８】
前記パネル部（４）は、パネルスライドスペース（Ｓ）が設けられ、前記第１状態において前記第１パネルおよび前記第２パネルと伴に前記第１吹出口（３４）を介した空気流れを遮断するパネル枠（３３）と、をさらに有し、
前記ケーシング（３）は、前記パネル枠（３３）を支持するケーシング支持部（３８）をさらに有し、
前記第１パネルは、前記共通回転軸に対して反対側の端部であって前記パネルスライドスペース（Ｓ）に対してスライドする第１スライド端をさらに有し、
前記第２パネルは、前記共通回転軸に対して反対側の端部であって前記パネルスライドスペース（Ｓ）に対してスライドする第２スライド端をさらに有し、
前記共通回転軸は、前記パネル支持部（４８）に対して回動可能に支持される、
請求項６に記載の空気調和装置（１）。
【請求項９】
前記パネル部（４）は、前記ケーシングを支持するパネル支持部（４８）と、前記第１パネルおよび前記第２パネルと伴に前記第１吹出口（３４）を介した空気流れを遮断するパネル枠（３３）と、をさらに有し、
前記ケーシング（３）は、ケーシングスライドスペース（Ｓ）を有し、
前記第１パネルは、前記共通回転軸に対して反対側の端部であって前記ケーシングスライドスペース（Ｓ）に対してスライドする第１スライド端をさらに有し、
前記第２パネルは、前記共通回転軸に対して反対側の端部であって前記ケーシングスライドスペース（Ｓ）に対してスライドする第２スライド端をさらに有し、
前記共通回転軸は、前記パネル支持部（４８）に対して回動可能に支持される、
請求項６に記載の空気調和装置（１）。
【請求項１０】
空調対象空間の上方に配置される空気調和装置（１）であって、
第１通気口（５３４，５３４ａ〜５３４ｅ）と、前記第１通気口（５３４）に設けられて通気を部分的に遮断する遮断部（３９，３９ａ〜３９ｆ）と、前記第１通気口（５３４ａ〜５３４ｅ）を通過する空気が通過する第２通気口（５３５ａ〜５３５ｄ）とを有するケーシング（３）と、
前記第１通気口（５３４ａ〜５３４ｅ）に対応した形状のパネル（５４１，５４１ａ〜５４１ｅ）と、前記遮断部に対応した形状の遮断対応開口部（４９，４９ａ〜４９ｆ）と、前記第１通気口（５３４ａ〜５３４ｅ）と前記パネル（５４１ａ〜５４１ｅ）との相対位置を変化させる可動機構（５４３）と、を有するパネル部（４）と、
を備え、
前記可動機構（５４３）は、前記パネル（５４１ａ〜５４１ｅ）の周縁部が前記第１通気口（５３４ａ〜５３４ｅ）の周縁部に対応し、前記遮断対応開口部（４９ａ〜４９ｆ）の周縁部が前記遮断部（３９ａ〜３９ｆ）の周縁部に対応するように配置して前記第１通気口（５３４ａ〜５３４ｅ）を介した空気流れを遮断する第１状態と、前記パネル（５４１ａ〜５４１ｅ）の周縁部と前記第１通気口（５３４ａ〜５３４ｅ）の周縁部との位置関係、および、前記遮断対応開口部（４９ａ〜４９ｆ）の周縁部と前記遮断部（３９ａ〜３９ｆ）の周縁部との位置関係を前記第１状態と異なる状態にすることで、前記第１通気口（５３４ａ〜５３４ｅ）の少なくとも一部を介した空気流れを許可する第２状態と、を切り替える、
空気調和装置（１）。
【請求項１１】
前記第１通気口（３４）は、前記ケーシング（３）内への吸込口として機能し、
前記第２通気口（３５ａ〜ｄ）は、前記ケーシング（３）からの吹出口として機能する、
請求項１から１０のいずれか１項に記載の空気調和装置（１）。
【請求項１２】
前記可動機構（４３）は、前記第２状態における前記パネル（４１）と前記ケーシング（３）とを互いに離反させて、前記第２通気口を広げる、
請求項１から１１のいずれか１項に記載の空気調和装置（１）。
【請求項１３】
前記可動機構（４３）は、前記第２状態における前記パネル（４１）を、平面視において前記第２通気口（３５ａ〜ｄ）が覆われる位置に配置する、
請求項１２に記載の空気調和装置（１）。
【請求項１４】
前記第２状態において前記第２通気口（３５ａ〜ｄ）近傍における前記パネル（４１）の前記ケーシング（３）に対する傾斜角度を変更する角度調節機構（４４）をさらに備えた、
請求項１２または１３に記載の空気調和装置（１）。
【請求項１５】
前記第２状態において前記ケーシング（３）と前記パネル（４１）との間に位置し、前記第２通気口（３５ａ〜ｄ）を通過する空気流れの向きを調節するフラップ（４５）をさらに備えた、
請求項１２から１４のいずれか１項に記載の空気調和装置（１）。
【請求項１６】
前記パネル（４１）は、表面が略フラットな形状であり、前記第１状態では前記第１通気口（３４）を略平面形状となって覆う、
請求項１から１５のいずれか１項に記載の空気調和装置（１）。
【発明の詳細な説明】
【技術分野】
【０００１】
本発明は、空気調和装置、特に、天井近傍に設置されて用いられる空気調和装置に関する。
【背景技術】
【０００２】
従来より、例えば、室内空気を吸い込んで調和空気を室内に供給する空気調和装置の室内機であって、天井埋込型等のように、吹出口および吸込口が天井面に沿うようにフラットパネルが設置されているものが知られている。
このような室内機では、天井近傍における設置スペースの制約等に伴って、薄型化が臨まれており、内部の送風抵抗が増大しがちである。
【０００３】
これに対して、例えば、以下に示す特許文献１に記載の空気調和装置では、室内機内部において流速分布を可及的に均一化させる構造を採用しており、送風抵抗を抑えつつ空気調和装置を薄型化させることを提案している。
【特許文献１】特開平０６−０４２７６８号公報
【発明の開示】
【発明が解決しようとする課題】
【０００４】
しかし、上述した特許文献１に記載の空気調和装置では、薄型化と送風抵抗の低減に着目するあまり、吹き出し口の意匠性に関しては考慮がされていない。このため、室内のユーザには、空気調和装置の吹き出し口が常に見えてしまい、意匠性が好ましくない。
本発明は上述した点に鑑みてなされたものであり、本発明の課題は、意匠性を向上させつつ通気を確保することが可能な空気調和装置を提供することにある。
【課題を解決するための手段】
【０００５】
第１発明に係る空気調和装置は、空調対象空間の上方に配置される空気調和装置であって、ケーシングと、パネル部とを備えている。ケーシングは、第１通気口と、第１通気口を通過する空気が通過する第２通気口とを有している。パネル部は、第１パネルと第２パネルとの少なくとも２つを含むパネルと、第１通気口とパネルとの相対位置を変化させる可動機構と、を有している。可動機構は、第１状態と第２状態とを切り替える。ここで第１状態は、第１パネルの一端と第２パネルの一端とが近接して位置することで第１通気口を介した空気流れを遮断する状態である。また、第２状態は、第１パネルの一端および第２パネルの一端が互いに離反して第１状態と異なる位置に移動して第１通気口の少なくとも一部を介した空気流れを許可する状態である。ここでの第１通気口および第２通気口は、空気調和装置において、吸込口として機能してもよいし吹出口として機能してもよい。
【０００６】
従来の空気調和装置の吸込口は、通気を確保するために常時外部に露出しており、空調対象空間から見た場合に目立ってしまっている。
これに対して第１発明の空気調和装置では、第１状態において、ケーシングに設けられた第１通気口をパネルが覆って閉鎖している。このため、第１通気口が覆われている第１状態では、空調対象空間から見た場合に、主としてパネルが見えてることになるため、第１通気口やその他の凹凸形状等は目立ちにくくなる。このため、外観がスッキリし、意匠性を向上させることができる。また、第２状態においても、１つだけでなく、第１パネルと第２パネルとの２以上のパネルそれぞれが移動することで第１状態から第２状態に切り替わっているため、通気を確保するためにパネル１つ当たりに必要とされる動きが少なくて済む。このため、パネルが大きく移動することによるパネルが目立つことを抑えて、意匠性を向上させることができる。可動機構は、パネルの相対位置を変えることによって、第１通気口を介した空気流れが遮断されている第１状態から、少なくとも一部の空気流れが許可されていた第２状態へ切り替えることで、通気を確保することができる。
これにより、空気調和装置の意匠性を向上させつつ、かつ、通気を確保することが可能になる。
【０００７】
第２発明に係る空気調和装置は、第１発明の空気調和装置であって、第１状態では、第１パネルの面および第２パネルの面と、第１通気口の面と、が近接して配置されている。また、第２状態では、第１パネルの面および第２パネルの面と、第１通気口の面と、が第１状態よりも互いに離反した位置に配置されている。
【０００８】
ここでは、第２状態では、第１状態と比較すると、単に第１パネルと第２パネルとが互いに離反するだけでなく、第１パネルおよび第２パネルが、ケーシングに対しても離反した状態になっている。このため、パネル部とケーシングとが近接していることにより通風抵抗が高くなっている部分を少なくすることができている。
これにより、吸込口における通風抵抗がより低減されることで、効率的な吸込を行うことが可能になる。
【０００９】
第３発明に係る空気調和装置は、空調対象空間の上方に配置される空気調和装置であって、ケーシングと、パネル部とを備えている。ケーシングは、第１通気口と、第１通気口を通過する空気が通過する第２通気口とを有している。パネル部は、端部の第１回転軸を中心として回動する第１パネルと端部の第２回転軸を中心として回動する第２パネルとの少なくとも２つのパネルと、第１通気口とパネルとの相対位置を変化させる可動機構と、を有している。
可動機構は、第１状態と第２状態とを切り替える。ここで第１状態は、第１パネルの面と第２パネルの面との向きが第１通気口における主な通気方向と略同一であって、第１パネルの面と第２パネルの面とが略同一平面上に位置することで第１通気口を介した空気流れを遮断する状態である。また、第２状態は、第１回転軸が軸となって第１パネルが、第２回転軸が軸となって第２パネルが、それぞれ回動することで、第１パネルの面の向きおよび第２パネルの面の向きが第１通気口における主な通気方向に対して略垂直な方向視において互いに重なるように位置することで第１通気口の少なくとも一部を介した空気流れを許可する状態である。
【００１０】
従来の空気調和装置の吸込口は、通気を確保するために常時外部に露出しており、空調対象空間から見た場合に目立ってしまっている。
これに対して第３発明の空気調和装置では、第１状態において、ケーシングに設けられた第１通気口をパネルが覆って閉鎖している。このため、第１通気口が覆われている第１状態では、空調対象空間から見た場合に、主としてパネルが見えてることになるため、第１通気口やその他の凹凸形状等は目立ちにくくなる。このため、外観がスッキリし、意匠性を向上させることができる。また、第２状態においても、１つだけでなく、第１パネルと第２パネルとの２以上のパネルそれぞれが各回転軸を中心として回動することで第１状態から第２状態に切り替わっているため、通気を確保するためにパネル１つ当たりに必要とされる動きが少なくて済む。このため、パネルが大きく移動することによるパネルが目立つことを抑えて、意匠性を向上させることができる。可動機構は、パネルの相対位置を変えることによって、第１通気口を介した空気流れが遮断されている第１状態から、少なくとも一部の空気流れが許可されていた第２状態へ切り替えている。ここで、第１パネルおよび第２パネルは、第１通気口の通気面に対して略垂直な方向になるように方向が変更されるため、パネルのうち、第１通気口の通気に対して抵抗となる部分が少なく抑えられた状態になっており、通気を確保することができる。
【００１１】
これにより、空気調和装置の意匠性を向上させつつ、かつ、通気を確保することが可能になる。
なお、パネル部は、１つのパネルではなく、複数のパネルから構成されているため、複数に分けることで、第２状態において各パネルが下方に延びる長さを、パネルが１つの場合と比較して短く抑えることができ、この点においても意匠性を向上させることができる。
【００１２】
第４発明に係る空気調和装置は、第３発明の空気調和装置であって、パネル部は、パネルスライドスペースが設けられ、第１状態において第１パネルおよび第２パネルと伴に第１吹出口を介した空気流れを遮断するパネル枠と、をさらに有している。また、ケーシングは、パネル枠を支持するケーシング支持部をさらに有している。そして、第１パネルは、第１回転軸に対して反対側の端部であってパネルスライドスペースに対してスライドする第１スライド端をさらに有している。第１回転軸はケーシング支持部に対して回動可能に支持されている。第２パネルは、第２回転軸に対して反対側の端部であってパネルスライドスペースに対してスライドする第２スライド端をさらに有している。第２回転軸はケーシング支持部に対して回動可能に支持されている。
【００１３】
ここでは、ケーシングに設けられたケーシング支持部において第１パネルの第１回転軸および第２パネルの第２回転軸が回動する。そして、各パネルの他端のスライド端がパネル枠のパネルスライドスペースに対してスライドする。
これにより、一端を回転軸によって回動させつつ他端をスライドさせるだけで、第１状態と第２状態との切り替えを容易に行うことが可能になる。
【００１４】
第５発明に係る空気調和装置は、第３発明の空気調和装置であって、パネル部は、ケーシングを支持するパネル支持部と、第１パネルおよび第２パネルと伴に第１吹出口を介した空気流れを遮断するパネル枠と、をさらに有している。ケーシングは、ケーシングスライドスペースをさらに有している。そして、第１パネルは、第１回転軸に対して反対側の端部であってケーシングスライドスペースに対してスライドする第１スライド端をさらに有している。第１回転軸はパネル支持部に対して回動可能に支持されている。第２パネルは、第２回転軸に対して反対側の端部であってケーシングスライドスペースに対してスライドする第２スライド端をさらに有している。第２回転軸はパネル支持部に対して回動可能に支持される。
【００１５】
ここでは、パネル部に設けられたパネル支持部において第１パネルの第１回転軸および第２パネルの第２回転軸が回動する。そして、各パネルの他端のスライド端がケーシングのケーシングスライドスペースに対してスライドする。
これにより、一端を回転軸によって回動させつつ他端をスライドさせるだけで、第１状態と第２状態との切り替えを容易に行うことが可能になる。
【００１６】
第６発明に係る空気調和装置は、空調対象空間の上方に配置される空気調和装置であって、ケーシングと、パネル部とを備えている。ケーシングは、第１通気口と、第１通気口を通過する空気が通過する第２通気口と、を有している。第１パネルと、一端部が第１パネルの一端部と共通した第１共通回転軸を構成するように配置された第２パネルと、第１通気口とパネルとの相対位置を変化させる可動機構と、を有している。可動機構は、第１状態と第２状態とを切り替える。ここで第１状態は、第１パネルの面と第２パネルの面との向きが第１通気口における主な通気方向と略同一であって、第１パネルの面と第２パネルの面とが略同一平面上に位置することで第１通気口を介した空気流れを遮断する状態である。また、第２状態は、第１共通回転軸を中心として第１パネルおよび第２パネルがそれぞれ回動し、第１パネルの面の向きおよび第２パネルの面の向きが第１通気口における主な通気方向に対して略垂直な方向視において互いに重なるように位置することで第１通気口の少なくとも一部を介した空気流れを許可する状態である。
【００１７】
従来の空気調和装置の吸込口は、通気を確保するために常時外部に露出しており、空調対象空間から見た場合に目立ってしまっている。
これに対して第６発明の空気調和装置では、第１状態において、ケーシングに設けられた第１通気口をパネルが覆って閉鎖している。このため、第１通気口が覆われている第１状態では、空調対象空間から見た場合に、主としてパネルが見えてることになるため、第１通気口やその他の凹凸形状等は目立ちにくくなる。このため、外観がスッキリし、意匠性を向上させることができる。また、第２状態においても、第１パネルだけでなく第２パネルも共通回転軸を中心として回動することで第１状態から第２状態に切り替わっているため、通気を確保するためにパネル１つ当たりに必要とされる動きが少なくて済む。このため、パネルが大きく移動することによるパネルが目立つことを抑えて、意匠性を向上させることができる。可動機構は、パネルの相対位置を変えることによって、第１通気口を介した空気流れが遮断されている第１状態から、少なくとも一部の空気流れが許可されていた第２状態へ切り替えている。ここで、第１パネルおよび第２パネルは、第１通気口の通気面に対して略垂直な方向になるように方向が変更されている、パネルのうち、第１通気口の通気に対して抵抗となる部分が少なく抑えられた状態になっており、通気を確保することができる。
これにより、空気調和装置の意匠性を向上させつつ、かつ、通気を確保することが可能になる。
【００１８】
第７発明に係る空気調和装置は、第６発明の空気調和装置であって、パネル部は、第３パネルと、端部が第３パネルの端部と共通している第２共通回転軸を構成するように配置された第４パネルと、をさらに有している。そして、可動機構は、第１状態において、第１パネルの面、第２パネルの面、第３パネルの面および第４パネルの面の向きが第１通気口における主な通気方向と略同一であって、第１パネルの面、第２パネルの面、第３パネルの面および第４パネルの面が略同一平面上に位置することで第１通気口を介した空気流れを遮断する状態とする。そして、第２状態においては、第１共通回転軸を中心としてそれぞれが回動することで第１パネルと第２パネルとが略重なった状態としつつ、第２共通回転軸を中心としてそれぞれが回動することで第３パネルと第４パネルとが略重なった状態とする。
【００１９】
ここでは、第１パネルと第２パネルとがまとまって、第３パネルと第４パネルとがまとまって、それぞれ重なった状態となり、各まとまり同士が第１通気口に対して略垂直な位置関係になる。このため、第１パネル、第２パネル、第３パネルおよび第４パネルのそれぞれが単独で下方に延びるように配置される場合と比較して、このようにまとまって下方に延びるように配置されるほうが、第２状態において周辺から取り込まれる空気に対する通風抵抗を抑えることができる。
また、このようにまとめることにより、第１通気口を覆っているパネルの数が多いほど、１つのパネル当たりの下方に延びる部分が短くすることが可能になる。
【００２０】
第８発明に係る空気調和装置は、第６発明の空気調和装置であって、パネル部は、パネルスライドスペースが設けられ、第１状態において第１パネルおよび第２パネルと伴に第１吹出口を介した空気流れを遮断するパネル枠をさらに有している。ケーシングは、パネル枠を支持するケーシング支持部をさらに有している。そして、第１パネルは、共通回転軸に対して反対側の端部であってパネルスライドスペースに対してスライドする第１スライド端をさらに有している。第２パネルは、共通回転軸に対して反対側の端部であってパネルスライドスペースに対してスライドする第２スライド端をさらに有している。共通回転軸は、パネル支持部に対して回動可能に支持される。
【００２１】
ここでは、ケーシングに設けられたケーシング支持部において第１パネルと第２パネルとに共通する共通回転軸が回動する。そして、各パネルの他端のスライド端がパネル枠のパネルスライドスペースに対してスライドする。
これにより、一端を回転軸によって回動させつつ他端をスライドさせるだけで、第１状態と第２状態との切り替えを容易に行うことが可能になる。
【００２２】
第９発明に係る空気調和装置は、第６発明の空気調和装置であって、パネル部は、ケーシングを支持するパネル支持部と、第１パネルおよび第２パネルと伴に第１吹出口を介した空気流れを遮断するパネル枠と、をさらに有している。ケーシングは、ケーシングスライドスペースを有している。第１パネルは、共通回転軸に対して反対側の端部であってケーシングスライドスペースに対してスライドする第１スライド端をさらに有している。第２パネルは、共通回転軸に対して反対側の端部であってケーシングスライドスペースに対してスライドする第２スライド端をさらに有している。共通回転軸は、パネル支持部に対して回動可能に支持される。
【００２３】
ここでは、パネル部に設けられたパネル支持部において第１パネルと第２パネルとに共通する共通回転軸が回動する。そして、各パネルの他端のスライド端がケーシングのケーシングスライドスペースに対してスライドする。
これにより、一端を回転軸によって回動させつつ他端をスライドさせるだけで、第１状態と第２状態との切り替えを容易に行うことが可能になる。
【００２４】
第１０発明に係る空気調和装置は、空調対象空間の上方に配置される空気調和装置であって、ケーシングと、パネル部とを備えている。ケーシングは、第１通気口と、第１通気口に設けられて通気を部分的に遮断する遮断部と、第１通気口を通過する空気が通過する第２通気口と、を有している。パネル部は、第１通気口に対応した形状のパネルと、遮断部に対応した形状の遮断対応開口部と、第１通気口とパネルとの相対位置を変化させる可動機構と、を有している。そして、可動機構は、第１状態と第２状態とを切り替える。ここで、第１状態は、パネルの周縁部が第１通気口の周縁部に対応し、遮断対応開口部の周縁部が遮断部の周縁部に対応するように配置され、第１通気口を介した空気流れを遮断する状態である。また、第２状態は、パネルの周縁部と第１通気口の周縁部との位置関係、および、遮断対応開口部の周縁部と遮断部の周縁部との位置関係を第１状態と異なる状態にすることで、第１通気口の少なくとも一部を介した空気流れを許可する状態である。
【００２５】
ここでは、可動機構によって第１状態に切り替えられた場合には、パネルが、ケーシングの遮断部に対して嵌合して、第１通気口を介した通気が遮断された状態となる。また、可動機構によって第２状態に切り替えられた場合には、各パネルはケーシングと離隔した状態となり、遮断対応開口部を通過し、遮断部を回避するようにして第１通気口を通過することで通気を確保することができる。
【００２６】
このように、第１状態においては、ケーシングとパネル部とが嵌合状態となることでスッキリと見えるようにして意匠性を向上させることができる。また、第２状態での通気の確保は、パネル部とケーシングとの離隔距離によって形成される水平方向の隙間を介して通気を確保するのではなく、可動機構によって第１状態から第２状態とされた場合に第１通気口の位置と遮断対応開口部との位置がズレることで生じる流路を介して通気を確保している。これにより、通気の確保には、各第１通気口の位置と遮断対応開口部の位置との位置関係におけるズレを生じさせれば充分であり、パネル部をケーシングに対して必要以上に離隔させなくても通気を確保することができる。これにより、パネル部の第２状態における下降の程度を少なく抑えることができ、容易に通気を確保することができる。
【００２７】
これにより、空気調和装置の意匠性を向上させつつ、かつ、通気を確保することが可能になる。
また、パネル部の下降の程度が抑えられるため、天井からパネル部が下降することによって、室内にいる人間が感じる天井が低くなったような圧迫感を抑えることができ、この点でも意匠性を向上させることができる。
【００２８】
第１１発明に係る空気調和装置は、第１発明から第１０発明のいずれかの空気調和装置であって、第１通気口は、ケーシング内への吸込口として機能し、第２通気口は、ケーシングからの吹出口として機能する。
ここでは、ケーシング内部における吸込口から吹出口への空気流れを確保しつつ、パネル部が移動するまで吸込口を隠して意匠性を向上させることができる。例えば、吸込口としての第１通気口にフィルタ付きグリル等が設けられている場合であってもパネルはこれらを隠すことができる。
【００２９】
第１２発明に係る空気調和装置は、第１発明から第１１発明のいずれかの空気調和装置であって、可動機構は、第２状態におけるパネルとケーシングとを互いに離反させて、第２通気口を広げる。
ここでは、第２状態において、パネルは、可動機構によって、ケーシングに対して離反させることでケーシングとの距離が広がって、第２通気口が広げられている。このため、第２通気口の周囲の通風抵抗を低減させることができる。
これにより、第２通気口の空気流れをより容易に確保することが可能になる。
【００３０】
第１３発明に係る空気調和装置は、第１２発明の空気調和装置であって、可動機構は、第２状態におけるパネルを、平面視において第２通気口が覆われる位置に配置する。
ここでは、第２状態においてパネル部は、可動機構によって移動されることで、平面視において第２通気口が覆われる位置に配置されている。このため、パネルは、第２状態において、第２通気口を隠すことができている。
これにより、第２通気口が隠されることで第２状態における意匠性を向上させることが可能になる。
【００３１】
第１４発明に係る空気調和装置は、第１２発明または第１３発明のいずれかの空気調和装置であって、第２状態において第２通気口近傍のパネルのケーシングに対する傾斜角度を変更する角度調節機構をさらに備えている。
【００３２】
ここでは、角度調節機構によって、パネル自体をケーシングの第２通気口近傍に対して傾斜させることができる。このため、第２通気口を通過する空気流れの向きを調節することができる。
これにより、第２通気口を通過する空気流れの方向を調節することが可能になる。
また、仮に、吹出方向を天井面に沿う方向に調節してラウンドフローとした場合には、ユーザに対して直接吹出風が当たらず、ドラフト感を低減することが可能になる。
【００３３】
なお、第２通気口近傍におけるパネルの傾斜を調節することにより、第１通気口近傍の空気流れに影響を与えることができる構成を採用している場合には、パネルの傾斜の様子によっては、空気調和装置に対する吸い込みにおける抵抗がより低減され、吸込を積極的に促すことができるようすることも可能である。
【００３４】
第１５発明に係る空気調和装置は、第１２発明から第１４発明のいずれかの空気調和装置であって、第２状態においてケーシングとパネルとの間に位置し、第２通気口を通過する空気流れの向きを調節するフラップをさらに備えている。
ここでは、パネルが第１通気口を開口するように移動した第２状態において、フラップは、第２開口を通過する空気流れの向きを調節することができる。
これにより、パネルが存在する位置によって第２通気口からの空気流れ方向が調節されるだけでなく、さらに、フラップの傾斜状態を変更することができるため、通気方向をより細かく調節することが可能になる。
また、パネルによって、ラウンドフローを実現した場合であっても、フラップによって送風方向を微調節することにより、吹出空気が直接天井面に対して向かうことを抑えて、天井面が汚れることを防止することが可能になる。
【００３５】
第１６発明に係る空気調和装置は、第１発明から第１５発明のいずれかの空気調和装置であって、パネルは、表面が略フラットな形状である。そして、第１状態では第１通気口を略平面形状となって覆う。
【００３６】
ここでは、パネルの表面が略フラットな形状となっており、第１状態において略平面形状となって第１通気口を覆って封鎖している。このため、空調対象空間に存在するユーザから見える部分はフラットになっており、スッキリとさせることができるため、意匠性を向上させることができる。
【発明の効果】
【００３７】
第１発明に係る空気調和装置では、空気調和装置の意匠性を向上させつつ、かつ、通気を確保することが可能になる。
第２発明に係る空気調和装置では、吸込口における通風抵抗がより低減されることで、効率的な吸込を行うことが可能になる。
第３発明に係る空気調和装置では、空気調和装置の意匠性を向上させつつ、かつ、通気を確保することが可能になる。
【００３８】
第４、５発明に係る空気調和装置では、一端を回転軸によって回動させつつ他端をスライドさせるだけで、第１状態と第２状態との切り替えを容易に行うことが可能になる。
第６発明に係る空気調和装置では、空気調和装置の意匠性を向上させつつ、かつ、通気を確保することが可能になる。
第７発明に係る空気調和装置では、第２状態において周辺から取り込まれる空気に対する通風抵抗を抑えることができる。
【００３９】
第８、９発明に係る空気調和装置では、一端を回転軸によって回動させつつ他端をスライドさせるだけで、第１状態と第２状態との切り替えを容易に行うことが可能になる。
第１０発明に係る空気調和装置では、空気調和装置の意匠性を向上させつつ、かつ、通気を確保することが可能になる。
第１１発明に係る空気調和装置では、吸込口から吹出口への空気流れを確保しつつ、パネルが移動するまで吸込口を隠して意匠性を向上させることができる。
【００４０】
第１２発明に係る空気調和装置では、第２通気口の空気流れをより容易に確保することが可能になる。
第１３発明に係る空気調和装置では、第２通気口が隠されることで第２状態における意匠性を向上させることが可能になる。
第１４発明に係る空気調和装置では、第２通気口を通過する空気流れの方向を調節することが可能になる。
【００４１】
第１５発明に係る空気調和装置では、パネルが存在する位置によって第２通気口からの空気流れ方向が調節されるだけでなく、さらに、フラップの傾斜状態を変更することができるため、通気方向をより細かく調節することが可能になる。
第１６発明に係る空気調和装置では、空調対象空間に存在するユーザから見える部分はフラットになっており、スッキリとさせることができるため、意匠性を向上させることができる。
【発明を実施するための最良の形態】
【００４２】
＜発明の概略＞
本発明は、パネルの移動により吸込口が登場する空気調和装置を提供する。本発明の空気調和装置では、運転されていない停止状態において略平面形状のパネルによって吸込口が覆われる構造を採用している。すなわち、吸込口を覆っている状態では、外観において、主として、略平面形状のパネルが見えることになり、開口や凹凸部分が見えにくくなってスッキリしている。本発明は、これにより、空気調和装置において意匠性を向上できる点に特徴がある。また、開閉機構によって、パネルを周縁部全体を含めて移動させて吸込口を登場させて十分に通気を確保することができるという点にも特徴がある。
【００４３】
以下、図面に基づいて、本発明に係る天井設置型の空気調和装置の各実施形態について説明する。
＜第１実施形態＞
（天井設置型の空気調和装置の基本構成）
図１に本発明の第１実施形態に係る天井設置型の空気調和装置１の外観斜視図（天井は省略）を示す。
【００４４】
空気調和装置１は、天井埋込型の空気調和装置であり、主として、内部に各種構成機器を収納するケーシング３と、分割化粧パネル４とから構成されている。
ケーシング３は、例えば、空気調和装置１の概略側面断面を示す図２のように、空調室の天井Ｕに形成された開口に挿入されて配置されている。そして、ケーシング３の内部には、主として、空調室内の空気をケーシング３内に吸入して外周方向に吹き出す送風ファン５と、送風ファン５の外周部を囲むように配置された熱交換器６とが配置されている。なお、図２中のＯは、送風ファン５の回転軸線または回転中心を示している。ケーシング３は、この場合、天井Ｕの開口に嵌め込まれるように配置される。
【００４５】
ケーシング３は、図２および図３に示すように、その平面視において、長辺と短辺とが交互に形成された略８角形状の下面が開口した箱状体であり、長辺と短辺とが交互に連続して形成された略８角形状の天板３１と、天板３１の周縁部から下方に延びる側板３２と、ケーシングの側板３２の周縁部から延びて平面を構成している底板３３とを有している。
【００４６】
この底板３３には、図２に示すように、その略中央に空調室内の空気を吸入する吸入口３４と、吸入口３４を囲むように形成されておりケーシング３内から空調室内に空気を吹き出す複数個（本実施形態では、４個）の吹出口３５ａ〜ｄとが形成されている。吸入口３４は、本実施形態において、略矩形状または略円形状の開口である。吹出口３５ａ〜ｄは、それぞれ、底板３３の各周縁部に沿うように細長く延びる略矩形状の開口である。また、ケーシング３には、吸入口３４を覆いかつ吹出口３５ａ〜ｄによって囲まれるように配置された略矩形状の吸入グリル３６が設けられている。さらに、吸入口３４の吸入グリル３６の上側には、吸入口３４から吸入される空気中の塵埃を捕集するフィルタ３７が設けられている。
【００４７】
分割化粧パネル４は、図１および図４等に示すように、複数個（本実施形態では、４個）の分割パネル４１（第１分割パネル４１ａ、第２分割パネル４１ｂ、第３分割パネル４１ｃおよび第４分割パネル４１ｄ）から構成されており、この４つが略同一平面上において組み合わされた状態では平面視において略矩形状の板状（フラットパネル）となって、吸込口３４の吸込グリル３６を封鎖するように設けられている。各分割パネルは、空気調和装置１の停止状態では、図６に示すうに、中央に集合するようにして吸込口３４を覆っている。また、各分割パネル４１ａ〜ｄは、空気調和装置１の運転状態では、図７に示すように、中央から放射状に広がるようにして移動して、吸込口３４を開口させる。また、この分割化粧パネル４の開閉可動機構４３は、図８に示すように、各分割パネル４１ａ〜ｄをケーシング３に対して支持させるための支持部材４２ａ〜ｄを有している。この支持部材４２は、開閉可動機構４３が作用することによって、分割パネル４１の位置を移動させて、吸込口３４を開閉させる。
【００４８】
各分割パネルは４１ａ〜ｄは、三角形の２つの頂点付近を切り落とした５角形状となっており、残りの１の頂点が吸込グリル３６の中央対応位置に集まるようにして配置される。各分割パネル４１ａ〜ｄは、互いに離反するように、放射的に移動することで吸込口３４を開閉させる。
支持部材４２は、図８に示すように、各分割パネル４１ａ〜ｄに対応して、第１支持部材４２ａ、第２支持部材４２ｂ、第３支持部材４２ｃおよび第４支持部材４２ｄの４つの部材から構成されている。この支持部材４２は、停止状態においては、図８（ａ）に示すように、ケーシング３内部に位置している。また、運転状態においては、図８（ｂ）に示すように、開閉可動機構４３によって分割パネル４１と伴に移動された状態となっており、ケーシング３内部から押し出るようにして下方に延び、所定の位置でまで延びて分割パネル４１を支持する。
【００４９】
開閉可動機構４３は、図８に示すように、各分割パネル４１を前記ケーシング３に対して相対的に移動させる機構であり、各分割パネル４１ａ〜ｄに対応して、第１開閉可動機構４３ａ、第２開閉可動機構４３ｂ、第３開閉可動機構４３ｃおよび第４開閉可動機構４３ｄの４つ開閉可動機構４３から構成されている。この開閉可動機構４３は、各支持部材４２ａ〜ｄを介して、各分割パネル４１ａ〜ｄを、中心から放射状にそれぞれが互いに離反する方向であって、かつ、各分割パネル４１ａ〜ｄがケーシング３の吸込口３４から離反して下降させていく方向（高さ方向）に向けて移動させる機構である。このように、各分割パネル４１を互いに離反させつつケーシング３の吸込口３４からも離反させることで、ケーシング３の吸込口３４近傍の通風抵抗が低減され、吸込可能な状態となる。
【００５０】
角度調節機構４４は、図８に示すように、各分割パネル４１ａ〜ｄの各吹出口３５ａ〜ｄに対する傾斜角度を調節する機構である。この角度調節機構４４は、各分割パネル４１ａ〜ｄに対応して、第１角度調節機構４４ａ、第２角度調節機構４４ｂ、第３角度調節機構４４ｃおよび第４角度調節機構４４ｄの４つの角度調節機構４４から構成されている。この角度調節機構４４は、各分割パネル４１ａ〜ｄを支持する支持部材４２の一端として設けられている。そして、角度調節機構４４は、図８に示すように、空気調和装置１が運転状態である場合の位置において、支持部材４２の下端部を支点として分割パネル４１を回転させることでケーシング３の吹出口３５に対して傾斜させて吹出角度を調節できるようになっている。角度調節機構４４は、開閉可動機構４３が支持部材４２を移動させて、各分割パネル４１ａ〜ｄも移動させて、支持部材４２と分割パネル４１との接続部分の長手方向を軸方向として、分割パネル４１を回動させている。
【００５１】
フラップ４５は、図８に示すように、各分割パネル４１ａ〜ｄに対応して、ケーシング３と第１フラップ４５ａ、第２フラップ４５ｂ、第３フラップ４５ｃおよび第４フラップ４５ｄの４つのフラップを有している。この各フラップ４５ａ〜ｄは、各分割パネル４１ａ〜ｄに付随するようにして設けられており、空気調和装置１が停止状態から運転状態となる場合に分割パネル４１が開閉可動機構４３によって移動されるのに伴って移動する。具体的には、図８に示すように、各フラップ４５ａ〜ｄは、空気調和装置１が停止状態である場合にはケーシング３の内部に納まるように位置しており、空気調和装置１が運転状態になる場合に分割パネル４１の移動に伴って移動し、分割パネル４１とケーシング３の吹出口３５ａ〜ｄの間に位置する。そして、上述した角度調節機構４４の長手方向と略同じ方向を軸方向として、ケーシング３に対する角度を変更することにより、吹出口３５ａ〜ｄからの吹き出される空気流れの方向を微調整する。
【００５２】
送風ファン５は、図２および図３に示すように、空調室内の空気をケーシング３の吸入口３４を通じてケーシング３内に吸入して外周方向に吹き出す。本実施形態において、送風ファン５は、ターボファンが採用されており、ケーシング３の天板３１の略中央に設けられたファンモータ５１と、ファンモータ５１に連結されて回転駆動される羽根車５２とを有している。羽根車５２は、ファンモータ５１に連結される円板状のエンドプレート５３と、エンドプレート５３の下面の外周部に設けられた複数のブレード５４と、ブレード５４の下側に設けられた中央に開口を有する円板状のエンドリング５５とを有している。送風ファン５は、ブレード５４の回転によって、エンドリング５５の開口を通じて羽根車５２の内部に空気を吸入し、羽根車５２内に吸入された空気を羽根車５２の外周側に吹き出すことができる。
【００５３】
熱交換器６は、図２および図３に示すように、本実施形態において、送風ファン５の外周部を囲むように曲げられて形成されたクロスフィンチューブ型の熱交換器パネルであり、屋外等に設置された室外ユニット（図示せず）に冷媒配管を介して接続されている。熱交換器６は、冷房運転時には内部を流れる冷媒の蒸発器として、暖房運転時には内部を流れる冷媒の凝縮器として機能できるようになっている。これにより、熱交換器６は、送風ファン５によって吸入口３４を通じてケーシング３内に吸入された空気と熱交換を行って、冷房運転時には空気を冷却し、暖房運転時には空気を加熱することができる。
【００５４】
熱交換器６の下側には、図２または図３に示すように、熱交換器６において空気中の水分が凝縮されて生じるドレン水を受けるためのドレンパン７が配置されている。
ドレンパン７は、図３に示すように、ケーシング３の下方に装着されている。ドレンパン７は、ケーシング３の吸入口３４に連通するように形成された吸入孔７１と、ケーシング３の吹出口３５ａ〜ｄに連通するように形成された４つの吹出孔７２ａ〜ｄと、熱交換器６の下側に形成されドレン水を受けるドレン水受け溝７３とを有している。
【００５５】
吸入孔７１には、吸入口３４から吸入される空気を送風ファン５の羽根車５２へ案内するためのベルマウス８が配置されている。
そして、ケーシング３には、吸入口３４から吸込グリル３６、フィルタ３７およびベルマウス８を通じて送風ファン５に至る吸入流路２ａと、送風ファン５から熱交換器６および吹出孔７２ａ〜７２ｄを通じて吹出口３５ａ〜ｄに至る吹出流路２ｂとが形成されている。
【００５６】
（空気調和装置の空調運転動作）
次に、空気調和装置１の空調運転動作について、図１および図２を用いて説明する。
ここで、空気調和装置１の状態は、上述したように、停止状態と、運転状態の２つに大別される。
運転状態では、停止状態において吸込口３４を覆う位置に配置されていた各分割パネル４１ａ〜ｄが開閉可動機構４３によって移動し、吸込口３４および吹出口３５ａ〜ｄが開口される。各分割パネル４１ａ〜ｄがそれぞれ運転状態の位置に配置すると、ファンモータ５１が駆動して、送風ファン５の羽根車５２が回転する。また、ファンモータ５１の駆動とともに、熱交換器６内には、室外ユニット（図示せず）から冷媒が供給される。ここで、熱交換器６は、冷房運転時には蒸発器として、暖房運転時には凝縮器として作用する。そして、羽根車５２の回転に伴って、空調室内の空気は、吸入流路２ａを通じて吸入口３４からケーシング３内に吸入される。この吸入された空気は、羽根車５２によって外周側に吹き出されて熱交換器６に達し、熱交換器６において冷却または加熱された後、吹出流路２ｂを通じて吹出口３５ａ〜ｄから空調室内に向かって吹き出される。このようにして、空調室内の冷房または暖房が行われる。
【００５７】
（分割化粧パネルの開閉機構による開閉動作）
−停止状態−
空気調和装置１の停止状態では、図１、図４および図８（ａ）に示すように、各分割パネル４１ａ〜ｄは、ケーシング３の吸込口３４を覆って閉鎖する位置に配置されている。この停止状態では、分割化粧パネル４の各分割パネル４１ａ〜ｄは、平面視において略同じ高さに位置し、４つの略平面形状の分割パネル４１ａ〜ｄの全体が略同じ高度に位置するように調節されている。このため、室内から見た場合には、分割化粧パネル４が主に見える状態となっている。このため、停止状態では、吸込口３４は目立ちにくいフラットな状態となっているため、室内に居るユーザからは空気調和装置１はスッキリとして見えることにより意匠性が向上されている。これにより、室内の天井面全体をスッキリさせることができている。
【００５８】
−運転状態−
空気調和装置１の運転状態では、図４、図７および図８（ｂ）に示すように、分割化粧パネル４の第１分割パネル４１ａ、第２分割パネル４１ｂ、第３分割パネル４１ｃ、第４分割パネル４１ｄおよびケーシング３が、それぞれ互いに離れて配置されている。これにより、吸込口３４を介したケーシング３内部への吸込が可能となっており、吹出口３５ａ〜ｄを介しての吹出が可能となっている。
【００５９】
なお、各分割パネル４１ａ〜ｄは、停止状態の場合と通して運転状態においても、平面視において吹出口３５ａ〜ｄと重複した位置関係となっている状態を維持している。これにより、吹出口３５ａ〜ｄが、停止状態だけでなく運転状態においても、平面視において見えないという点で意匠性を向上させている。
また、この運転状態では、各分割パネル４１ａ〜ｄは、角度調節機構４４によって、ケーシング３の吹出口３５ａ〜ｄに対して傾斜させて、吹出方向を天井面に沿うような方向に調節されるラウンドフローを実現できる。このようにラウンドフローとした場合には、吹出口３５ａ〜ｄを介して吹き出される風が室内に居るユーザに対して直接当たることを防いで、ドラフト感を低減できる。
【００６０】
なお、図８（ｂ）に示すように、各分割パネル４１ａ〜ｄをケーシング３に対して傾斜させて吹出口３５ａ〜ｄを介したラウンドフローを実現させることに付随して、吸込口３４における空気の吸込が容易になるように各分割パネル４１ａ〜ｄが空気をガイドさせることを可能にしている。
−停止状態から運転状態への移行−
空気調和装置１の停止状態から運転状態への移行は、図８（ａ）に示す停止状態から図８（ｂ）に示す運転状態への移行であって、開閉可動機構４３が各支持部材４２ａ〜ｄおよび各分割パネル４１ａ〜ｄをケーシング３に対して移動させている。また、この動作と同時に、開閉可動機構４３は、各分割パネル４１ａ〜ｄ同士を互いに離反させるように移動させている。
【００６１】
各分割パネル４１ａ〜ｄが移動すると、もしくは、移動しながら、角度調節機構４４が機能することで、各分割パネル４１ａ〜ｄは、停止状態において、各分割パネルが移動した方向の外側が下方に、内側が上方になるように、ケーシング３に対して傾斜される。
そして、各分割パネル４１ａ〜ｄが移動して、傾斜した状態になると、各吹出口３５ａ〜ｄからの吹出方向を制御するために、各フラップ４５ａ〜ｄの角度が調節される。ここで、停止状態においてケーシング３の内部に存在するフラップ４５は、各分割パネル４１ａ〜ｄが開閉可動機構４３によって移動することに伴って、運転状態となった場合に、各分割パネル４１a〜ｄとケーシング３との間に登場する。そして、各分割パネル４１と、ケーシング３との間を通過する吹出空気の向かう方向を調節する。
【００６２】
（第１実施形態の空気調和装置の特徴）
（１）
従来、室内等に設置される空気調和装置の吸込口は、吸込口を介した空気の取込を確保するために常時露出しており、室内に居るユーザから見た場合に目立ってしまっている。
これに対して、第１実施形態の天井設置型の空気調和装置１では、停止状態において、分割パネル４１が平面視において吹出口３５ａ〜ｄと重複しているだけでなく吸込口３４を覆って閉鎖している。このため、室内から見た場合には、分割化粧御パネルが見えることになり、吸込口３４は目立たなくなっている。また、分割化粧パネル４の表面は、フラットな形状となっており、停止状態で吸込口３４を覆って封鎖する場合に、略平面形状に配置されている。このため、空調対象空間に存在するユーザから見える部分は平坦な形状になっている。したがって、外観がスッキリされており、意匠性が向上されている。
【００６３】
また、開閉可動機構４３は、各分割パネル４１ａ〜ｄの周縁部の位置を移動させることによって、吸込口３４が閉鎖されている停止状態から開口している運転状態へ切り替えて通気を確保している。さらに、分割化粧パネル４は、運転状態において、開閉可動機構４３によって、分割パネル４１同士の距離および吹出口３５ａ〜ｄとの距離が停止状態の場合と比較して広げられている。このため、吸込口３４および吹出口３５ａ〜ｄの周囲の通風抵抗が低減され、吸込口３４を介した空気の吸込および吹出口３５ａ〜ｄを介した空気の吹出をより効率的にさせている。
【００６４】
以上の構成によって、停止状態における空気調和装置１を室内側から見た場合の意匠性を向上させつつ、かつ、運手状態においては通気状態を充分に確保することができる。
また、分割化粧パネル４は、第１〜第４分割パネル４１ａ〜ｄの４つに分割されたパネルを移動させることで吸込口３４を開口させている。このため、１枚のパネルと４枚に分割されたパネルとで同程度に吸込口３４を開口させようとする場合には、パネルが１枚である場合と比較して、４枚に分割されたパネルの方が１枚当たりの必要移動量を少なく抑えることができる。これにより、各分割パネル４１ａ〜ｄの移動量が多く必要とされて外観が崩れることによる意匠性の悪化を抑えて、通気状態を効率的に確保している。
【００６５】
なお、開閉可動機構４３は、各分割パネル４１ａ〜ｄのそれぞれについてパネルの周縁部を含めて全体的に移動させており、各分割パネル４１ａ〜ｄのいずれかの一端がケーシング３に対して固定されているわけではない。このため、運転状態においては、吸込口３４近傍の通風抵抗が効率的に低減されて良好な吸込状態とすることができる。
（２）
第１実施形態の天井設置型の空気調和装置１では、運転状態において、分割化粧パネル４は、開閉可動機構４３によって移動されることで、平面視において吹出口３５ａ〜ｄを覆った状態を維持している。このため、分割化粧パネル４は、運転状態において、吹出口３５ａ〜ｄを隠している。これにより、吹出口３５ａ〜ｄが隠れて、運転状態における意匠性を向上させることができる。
【００６６】
（３）
第１実施形態の天井設置型の空気調和装置１の分割化粧パネル４は、図８に示すように、吸込口３４を開口する位置に移動した運転状態において、角度調節機構４４によってケーシング３の吹出口３５ａ〜ｄに対する角度を調節することで、各吹出口３５ａ〜ｄから室内に吹き出る空気流れを調節できる。さらに、この分割化粧パネル４の各分割パネル４１ａ〜ｄには、それぞれフラップ４５ａ〜ｄが設けられており、吹出口３５ａ〜ｄを通過する空気流れの向きを、フラップ４５によっても調節することができる。
【００６７】
これにより、分割化粧パネル４が存在する位置によって吹出口３５ａ〜ｄからの空気流れ方向が調節されるだけでなく、さらに、フラップ４５ａ〜ｄの傾斜状態を変更することにより、通気方向のより細かな調節できる。また、角度調節機構４４によって吹出空気流れを天井面に沿う方向としてラウンドフローを実現した場合であっても、図８に示すように、フラップ４５ａ〜ｄによって送風方向を微調節することにより、吹出空気が直接天井面に対して向かうことを避けて、天井面の汚染を防止できる。
【００６８】
（第１実施形態の空気調和装置の変形例）
以上、本発明の一実施形態について説明したが、本発明は実施形態に限定されるものではなく、発明の要旨を逸脱しない範囲で種々の変更が可能である。
（Ａ）
上記第１実施形態の空気調和装置１では、分割化粧パネル４は、第１〜第４分割パネル４１ａ〜ｄの４つのパネルによって構成されている場合について例に挙げて説明した。
【００６９】
しかし、本発明はこれに限られるものではなく、分割化粧パネル４は、例えば、図９に示すように、第１分割パネル１４１ａと、第２分割パネル１４１ｂと、の２つの分割パネルから構成されていてもよい。この場合であっても、図９（ａ）に示すように停止状態においては吸込口３４を覆って閉鎖し、図９（ｂ）に示すように運転状態においては吸込口３４を開口させて、吹出口１３５ａ、１３５ｂの２方向から吹き出すことにより、通気を確保することで、第１実施形態と同様に意匠性を向上させつつ、通気を確保できる。
【００７０】
（Ｂ）
上記第１実施形態の空気調和装置１では、分割化粧パネル４は角度調節機構４４を有しており、吹出口３５ａ〜ｄを介して吹き出される空気流れの方向を調節することができるようにしている。
しかし、本発明はこれに限られるものではなく、図１０に示すように、分割化粧パネル４は、特に、第１実施形態にいう角度調節機構４４を有していないものであって、ケーシング３に対する分割パネル４１に角度が維持されるような構成であってもよい。この場合には、天井面におけるフラット形状を、停止状態から運転状態を通じて維持させることができるため、この点から意匠性を向上させることができる。
【００７１】
（Ｃ）
上記第１実施形態の空気調和装置１では、停止状態においてケーシング３の内部に存在し、運転状態となった場合に分割パネル４１とケーシング３との間に登場するフラップ４５を備えた構成について例に挙げて説明した。
しかし、本発明はこれに限られるものではなく、図１１に示すように、第１実施形態にいうフラップ４５が設けられていない構成であってもよい。例えば、図１１に示すように、角度調節機構４４のみによって吹出口３５ａ〜ｄからの吹出空気流れの方向を調節するようにしてもよい。
【００７２】
また、これ以外にも、図１２に示すように、各フラップ１４５ａ〜ｄを、停止状態においては分割パネル４１とほとんど接する位置に配置させておき、運転状態において分割パネル４１とケーシング３との間に登場させるようにしてもよい。この場合には、第１実施形態の場合とは異なり、吹出口３５ａ〜ｄを通過した空気はケーシング３とフラップ１４５ａ〜ｄとの間を通過するようになり、このフラップ１４５ａ〜ｄの傾斜の程度を調節することで、吹出方向を調節することができる。
【００７３】
（Ｄ）
上記第１実施形態の空気調和装置１では、単にケーシング３の内部に設けられた熱交換器６を介して吸い込まれた空気と冷媒との間で熱交換を行い、調和された空気を室内に供給するという場合について例に挙げて説明している。
しかし、本発明はこれに限られるものではなく、図１３に示すように、吹出口３５ａ〜ｄが複数ある場合において、各吹出口３５ａ〜ｄから吹き出される空気が熱交換を行う対象となる冷媒の温度を違えるように構成してもよい。
【００７４】
例えば、図１３に示すように、吹出口３５aから吹き出される空気は冷たくなるように、吹出口３５近傍に位置する熱交換器６ａを流れる冷媒温度を低く設定し、他方の吹出口３５ｃから吹き出される空気が吹出口３５ａから吹き出される空気よりも暖かい空気になるように、吹出口３５ｃの近傍に位置する熱交換器６ｃを流れる冷媒温度を高く設定するようにしてもよい。この場合には、吹出口３５ａ〜ｄが複数ある場合において、吹出口３５ａ〜ｄを介して吹き出される方向に居るユーザの好みに応じた吹出温度に調節することが可能になり、複数のユーザの望む異なる希望温度の空気を提供することが可能になる。
【００７５】
また、図１４（ａ）〜（ｄ）に示すように、熱交換器６の冷媒配管の異なる位置において流れる冷媒温度が異なるように調節しつつ、いずれか一方の冷媒配管の周囲に生じるドレン水を他方の冷媒温度が異なる冷媒配管に導くためのドレン水ガイド６６をさらに備えた構成としてもよい。この場合の熱交換器６の配置は、特に限定されるものではなく、また、ドレン水ガイド６６は、ドレン水が生じる部分からこの生じたドレン水を熱回収に利用することのできる冷媒配管の部分まで導くことができる構造となっていればよい。
【００７６】
例えば、図１４（ａ）に示すように、吸込口３４の真上に配置された熱交換器ｅをさらに備えて、吹出口３５ａ〜ｄに対応して設けられた熱交換器６ａ〜ｄを備えており、ケーシング３内部で傾斜して配置されている熱交換器６ｃから生じたドレン水を、ドレン水ガイド６６によって回収してケーシング３内部で傾斜して配置されている熱交換器６ａに導いて、熱交換器６ａにおいて熱回収するようにしてもよい。
【００７７】
また、図１４（ｂ）に示すように、上述した熱交換器６ｅを有さない構成であってもよく、図１４（ｃ）に示すように、熱交換器６は、ケーシング３内部において傾斜することなく、図１４（ｄ）に示すように、熱交換器６ａ、６ｃとがケーシング３内部で離隔して配置され、ドレン水ガイド６６を介して接続されてる構成としてもよい。このように、ケーシング３の各吹出口３５ａ〜ｄを介した吹出空気の温度を違えるために冷媒配管を流れる冷媒の温度が異なるようにしている場合には、生じたドレン水を利用して、ドレン水ガイド６６により熱回収運転を行って、空気調和装置１の熱効率を向上させることができる。
【００７８】
＜第２実施形態＞
以下、図１５〜図１７を参照しつつ、本発明の第２実施形態に係る天井設置型の空気調和装置２００について説明する。
なお、第２実施形態の天井設置型の空気調和装置２００について、第１実施形態の空気調和装置１と共通する点については、ここでは説明を省略する。
【００７９】
空気調和装置２００の分割化粧パネル４は、吸込グリル３６の下方に配置される第１〜第４分割パネル２４１ａ〜ｄを備えており、各分割パネル２４１ａ〜ｄはそれぞれ折りたたみ開閉可動機構２４３ａ〜ｄを有している点で、第１実施形態の空気調和装置１と最も相違している。
この折りたたみ開閉可動機構２４３ａ〜ｄは、図１５（ｂ）および図１６（ａ）〜（ｅ）（図１５（ａ）の「Ｐ」で示した部分の部分拡大断面図）に示すように、略同一平面上において、折りたたみ開閉可動機構２４３の折りたたみ軸方向が互いに平行となるように配置されている。
【００８０】
また、折りたたみ開閉可動機構２４３ａ〜ｄは、分割パネル２４１ａ〜ｄの中央近傍において長手方向に延びるようにして設けられている。そして、折りたたみ開閉可動機構２４３ａ〜ｄは、長手方向を軸方向として、分割パネル２４１ａ〜ｄを折りたたむ。
ここで、折りたたみ開閉可動機構２４３ａ〜ｄは、ケーシング３に対して回転可能であるものの位置が固定されている固定端として機能する。また、各分割パネル２４１ａ〜ｄの両端部は、図１６に示すように、スライドスペースＳが設けられたパネル枠３３に対して自由にスライドする自由端として機能する。
【００８１】
なお、停止状態では、図１５（ａ）および図１６（ａ）に示すように、各分割パネル２４１ａ〜ｄは、折りたたまれることなくパネル枠３３に設けられたスライドスペースＳ中に納まっており、略同一平面上に互いに連続するように配置されることで吸込口２３４を覆っている。
そして、運転状態では、図１５（ｂ）および図１６（ｂ）〜（ｅ）に示すように、各分割パネル２４１ａ〜ｄは、各折りたたみ開閉可動機構２４３ａ〜ｄによって折りたたまれている（図１６（ｂ）、（ｃ）、（ｄ）、（ｅ）において折りたたんでいる様子を段階別に示している）。そして、各分割パネル２４１ａ〜ｄは、固定端として機能する各折りたたみ開閉可動機構２４３ａ〜ｄはケーシング３に対して支持された状態を持続させる。そして、自由端として機能する各分割パネル２４１ａ〜ｄの両端部は、スライドスペースＳ内において互いに近づくようにスライドすることで、各分割パネル２４１ａ〜ｄは折りたたまれる。この際、パネル枠３３および各分割パネル２４１ａ〜ｄの両端部は、ケーシング３に対して下降することになる。このようにして、吸込口２３４が開口される。
【００８２】
なお、吸込口２３４から吸い込まれた空気は、下降したパネル枠３３とケーシング３との間に生ずる各吹出口２３５ａ〜ｄを介して吹き出される。
（第２実施形態の空気調和装置の特徴）
第２実施形態の天井設置型の空気調和装置２００では、分割化粧パネル４は、各折りたたみ開閉可動機構２４３ａ〜ｄを有している。この各折りたたみ開閉可動機構２４３ａ〜ｄは、各分割パネル２４１ａ〜ｄを停止状態から運転状態にする場合に、吸込口３４に対して垂直に位置するように折りたたむ。これにより、吸込口３４を通過しようとする空気流れに対して妨げとなるように配置される部分が停止状態と比較して少なくなっている。
【００８３】
また、折りたたむことなく各分割パネル２４１ａ〜ｄそれぞれを垂直状態にする場合と比較して、折りたたんだ状態で吸込口３４から下方に延びる部分の長さを短くすることができる。これにより、吸込口３４の周辺における通風抵抗を低減させて周囲からの吸込を容易化させている。
また、各折りたたみ開閉可動機構２４３ａ〜ｄは、複数に分けられた分割パネル２４１ａ〜ｄのそれぞれに設けられ、各分割パネル２４１ａ〜ｄのそれぞれを個別に折りたたむ。このため、１枚の分割パネルを２つ折りにして折りたたむ場合と比較して、通風抵抗の数を低減できている。
【００８４】
さらに、一枚でなく複数枚の分割パネル２４１ａ〜ｄのそれぞれを折りたたむことで、折りたたんだ状態で吸込口３４から下方に延びる部分の長さをよりいっそう短くでき、吸込口３４の周辺における通風抵抗をさらに低減させて周囲からの吸込をよりいっそう容易化させている。
また、これらにより、停止状態から運転状態に移行するために必要となる各分割パネル２４１ａ〜ｄの動作が少なくて済み、吸込口３４から下方に突出する程度を抑えて、意匠性を向上させている。
【００８５】
（第２実施形態の空気調和装置の変形例）
以上、本発明の一実施形態について説明したが、本発明は実施形態に限定されるものではなく、発明の要旨を逸脱しない範囲で種々の変更が可能である。
（Ａ）
上記第２実施形態の空気調和装置２００では、各折りたたみ開閉可動機構２４３ａ〜ｄがケーシング３に対する固定端として機能し、各分割パネル２４１ａ〜ｄの両端部がパネル枠３３のスライドスペースＳに対してスライドする自由端として機能する場合を例に挙げて説明した。
【００８６】
しかし、本発明はこれに限られるものではなく、例えば、図１７に示すような構成としても同様の効果が得られる。すなわち、図１７（ａ）〜（ｅ）に示すように、各折りたたみ開閉可動機構２４３ａ〜ｄがパネル枠３３に対する固定端として機能し、各分割パネル２４１ａ〜ｄの両端部がケーシング３に設けられたスライドスペースＳに対してスライドする自由端として機能するような構成としてもよい。
【００８７】
（Ｂ）
上記第２実施形態の空気調和装置２００では、運転状態においてパネル枠３３が各分割パネル２４１ａ〜ｄに対してスライドしつつ下降する場合について例に挙げて説明した。
しかし、本発明はこれに限られるものではなく、例えば、図１８に示すように、パネル枠３３が設けられていない構成であってもよい。
【００８８】
図１８（ａ）に示すように、それぞれ折りたたみ開閉可動機構２４３ａ〜ｄを有している各分割パネル２４１ａ〜ｄの端部が、ケーシング３に設けられたスライドスペースＳに対して、スライドし、各折りたたみ開閉可動機構２４３ａ〜ｄを下降させるようにしていくことで、吸込口３４を開口するような構成としてもよい。
また、図１８（ｂ）に示すように、それぞれ折りたたみ開閉可動機構２４３ａ〜ｄを有している各分割パネル２４１ａ〜ｄの各折りたたみ開閉可動機構２４３ａ〜ｄが、それぞれケーシング３に設けられた支持部材２４７ａ〜ｄに対して支持されたままの状態で、各分割パネル２４１ａ〜ｄが折りたたまれることで、吸込口３４を開口するような構成としてもよい。
【００８９】
＜第３実施形態＞
以下、図１９および図２０を参照しつつ、本発明の第３実施形態に係る天井設置型の空気調和装置３００について説明する。
なお、第３実施形態の天井設置型の空気調和装置３００について、第１実施形態の空気調和装置１と共通する点については、ここでは説明を省略する。
【００９０】
空気調和装置３００の分割化粧パネル４は、吸込グリル３６の下方に配置される第１〜第４分割パネル３４１ａ〜ｆを備えており、各分割パネル３４１ａ〜ｆはそれぞれスライド開閉可動機構３４３ａ〜ｆを有している点で、第１、第２実施形態の空気調和装置１、２００と最も相違している。
このスライド開閉可動機構３４３ａ〜ｆは、図１９（ａ）、（ｂ）および図２０に示すように、各分割パネル３４１ａ〜ｆの両端部分に関する機構であり、各分割パネル３４１ａ〜ｆの一端部分をケーシング３に対して回転可能に支持させる固定端として機能する機構と、各分割パネル３４１ａ〜ｆの他端部分をパネル枠３３に設けられたスライドスペースＳに対してスライドさせる自由端として機能する機構と、を有している。
【００９１】
なお、各スライド開閉可動機構３４３ａ〜ｆは、それぞれ互いに主なスライド方向（水平方向であるスライド方向）が共通するように配置されている。ここでは、図１９および図２０に示すように、各分割パネル３４１ａ〜ｃは、図の左側の端部がスライドし、各分割パネル３４１ｄ〜ｆは、図の右側の端部がスライドするように配置されている。
ここで、停止状態では、図１９（ａ）に示すように、各分割パネル３４１ａ〜ｆは、スライドされることなくパネル枠３３に設けられたスライドスペースＳ中に納まっており、略同一平面上に互いに連続するように配置されることで吸込口３３４を覆っている。
【００９２】
そして、運転状態では、図１９（ｂ）および図２０に示すように、各分割パネル３４１ａ〜ｆは、各スライド開閉可動機構３４３ａ〜ｆが機能することで、各分割パネル３４１ａ〜ｆが吸込口３３４に対して垂直な位置関係となるように、パネル枠３３に設けられたスライドスペースＳに対して一端がスライドする。この際、パネル枠３３および各分割パネル３４１ａ〜ｆの両端部は、ケーシング３に対して下降することになる。このようにして、吸込口３３４が開口される。
【００９３】
なお、吸込口３３４から吸い込まれた空気は、下降したパネル枠３３とケーシング３との間に生ずる各吹出口３３５ａ〜ｄを介して吹き出される。
（第３実施形態の空気調和装置の特徴）
第３実施形態の天井設置型の空気調和装置３００では、各分割パネル３４１ａ〜ｆは、運転状態では、スライド開閉可動機構３４３ａ〜ｆが機能することによって、吸込口３３４に対して略垂直な方向を向くように位置を変更させる。このため、各分割パネル３４１ａ〜ｆのうち、吸込口３３４を通過しようとする空気流れに対して妨げとなるように配置される部分が停止状態と比較して少なくなっている。
【００９４】
また、各スライド開閉可動機構３４３ａ〜ｆは、複数に分けられた分割パネル３４１ａ〜ｆのそれぞれの端部において機能し、各分割パネル３４１ａ〜ｆのそれぞれを個別にスライドさせている。このため、１枚の分割パネルをスライドさせて吸込口３３４を開口させる場合と比較して、複数の分割パネル３４１ａ〜ｆをスライドさせて吸込口３３４を開口させているため、通風抵抗を低減させることができる。
【００９５】
さらに、一枚でなく複数枚の分割パネル３４１ａ〜ｆのそれぞれを個別にスライドさせることで、スライドさせた状態で吸込口３３４から下方に延びる部分の長さをよりいっそう短くでき、吸込口３３４の周辺における通風抵抗をさらに低減させて周囲からの吸込をよりいっそう容易化させている。
また、これらにより、停止状態から運転状態に移行するために必要となる各分割パネル２４１ａ〜ｆの動作が少なくて済み、吸込口３３４から下方に突出する程度を抑えて、意匠性を向上させている。
【００９６】
なお、分割パネル３４１ａ、３１ｂ、３４１ｃを互いに平行に配置させつつ、これとは別個に、分割パネル３４１ｄ、３４１ｅ、３４１ｆを互いに平行に配置させている。そして、これらの互いに平行な状態を保ったままでスライド開閉可動機構３４３ａ〜ｆによって開閉させることで、開閉動作の途中であっても吸込口３３４の通風抵抗を低減させた状態とすることができる。
【００９７】
（第３実施形態の空気調和装置の変形例）
以上、本発明の一実施形態について説明したが、本発明は実施形態に限定されるものではなく、発明の要旨を逸脱しない範囲で種々の変更が可能である。
（Ａ）
上記第３実施形態の空気調和装置３００では、運転状態においてパネル枠３３が各分割パネル３４１ａ〜ｆに対してスライドしつつ下降する場合について例に挙げて説明した。
【００９８】
しかし、本発明はこれに限られるものではなく、例えば、図２１（ａ）に示すように、パネル枠３３が設けられていない構成であってもよい。
（Ｂ）
また、図２１（ｂ）に示すように、各スライド開閉可動機構３４３ａ〜ｆを有する各分割パネル３４１ａ〜ｆのそれぞれが、パネル枠３３に設けられたスライドスペースＳ中において設けられており、固定端として機能する部分が無くてもよい。
【００９９】
（Ｃ）
また、図２１（ｃ）に示すように、各分割パネル３４１ａ〜ｆが有しているスライド開閉可動機構３４３ａ〜ｆは、一端がパネル枠３３において固定端として機能し、他端がケーシング３に設けられたスライドスペースＳにおいて自由端として機能するように構成されていてもよい。
【０１００】
（Ｄ）
また、図２１（ｄ）に示すように、各分割パネル３４１ａ〜ｆが有しているスライド開閉可動機構３４３ａ〜ｆは、一端がケーシング３において固定端として機能し、他端がパネル枠３３に設けられたスライドスペースＳにおいて自由端として機能するように構成されており、各分割パネル３４１ａ〜ｆが互いに平行関係となるよいに配置されていなくてもよい。
【０１０１】
＜他の実施形態＞
以上、本発明の一実施形態について説明したが、本発明は上記実施形態に限定されるものではなく、発明の要旨を逸脱しない範囲で種々の変更が可能である。
（Ａ）
本発明は上述した第１〜第３実施形態における天井設置型の空気調和装置１、２００、３００限られるものではなく、例えば、図２２に示すような、天井設置型の空気調和装置４００であってもよい。なお、この天井設置型の空気調和装置４００について、第１実施形態の空気調和装置１と共通する点については、ここでは説明を省略する。
【０１０２】
空気調和装置４００の分割化粧パネル４は、図２２に示すように、第１〜第４分割パネル４４１ａ〜４４１ｄを有している。この各分割パネル４４１ａ〜ｄは、それぞれ回転開閉可動機構４４４ａ〜ｄを有しており、空気調和装置４００が停止状態となっている場合と運転状態となっている場合とで、回転状態が異なるように調節される。
停止状態では、空気調和装置４００は、図２２（ａ）に示すように、第１〜第４分割パネル４４１ａ〜４４１ｄが平面視において、天井面に配置されているケーシング３の周縁においてケーシング３の下面に沿うようにして略平面状にそれぞれ配置されている。
【０１０３】
また、運転状態では、空気調和装置４００は、図２２（ｂ）に示すように、第１から第４分割パネル４４１ａ〜ｄが、それぞれの回転開閉可動機構４４４ａ〜ｄによって回転し、ケーシング３の下面内側においてそれぞれ吸込口４３４ａ〜ｄが登場する。そして、これと同時に、ケーシング３の下面外側においてそれぞれ吹出口４３５ａ〜ｄが登場する。
この運転状態において、送風ファン５が駆動することで、吸込口４３４ａ〜ｄを介してケーシング３内部に吸い込まれた室内空気は、吸込グリル３６を通過し、フィルタ３７によって埃が除去され、熱交換器６を流れる冷媒との熱交換により温度が調節されて、各吹出口４３５ａ〜ｄを介して室内に対して吹き出される。
【０１０４】
このように、空気調和装置４００でも、各分割パネル４４１ａ〜ｄが回転開閉可動機構４４４ａ〜ｄによって回転されるだけで、吸込口４３４ａ〜ｄおよび吹出口４３５ａ〜ｄが確保されるため、上述した第１〜第３実施形態の空気調和装置１，２００、３００と同様に、天井面がスッキリと見えるようにして意匠性を向上させつつ、空気調和のための通気を容易に確保することができる。
【０１０５】
（Ｂ）
また、図２３および図２４に示すような、天井設置方型の空気調和装置５００であってもよい。なお、この天井設置型の空気調和装置５００について、第１実施形態の空気調和装置１と共通する点については、ここでは説明を省略する。
空気調和装置５００の嵌合化粧パネル５０４は、図２３に示すように、ケーシング３には、吸込口５３４を介した通気を部分的に遮断するための遮断部材３９ａ〜３９ｆが設けられている。この遮断部材３９ａ〜３９ｆは、図２３に示すように、吸込口５３４の通気を部分的に塞ぐようにして互いに並行に延びる部材（図２３でいう紙面奥行き方向に延びる部材）である。吸込口５３４に遮断部材３９ｓ〜３９ｅが設けられているため、運転時には、室内空気は、この遮断部材３９ａ〜３９ｅを回避するようにして吸込口５３４ａ〜５３４ｅを通過してケーシング３内部に取り込まれる。また、嵌合化粧パネル５０４は、図２３に示すように、ケーシング３の遮断部材３９ａ〜３９ｆに対応するようにして遮断対応開口４９ａ〜４９ｆが設けられ、この遮断対応開口４９ａ〜４９ｆの間において吸込口５３４ａ〜吸込口５３４ｅの通気部分に対応するように互いに並行に延びる複数の嵌合部材５４１ａ〜５４１ｅが設けられている。
【０１０６】
空気調和装置５００が停止状態となっている場合には、図２４（ａ）に示すように、この嵌合化粧パネル５０４の嵌合部材５４１ａ〜５４１ｅのそれぞれが、ケーシング３の遮断部材３９ａ〜３９ｆに対して嵌合されて、通気を遮断し、各嵌合部材５４１ａ〜５４１ｅの下端面と各遮断部材３９ａ〜３９ｆの下端面とによって略フラットな面が構成されるようになっている。これにより、停止状態では、室内側から天井面を見た時に、空気調和装置５００の下面がスッキリとして見えるようになっている。また、空気調和装置５００が運転状態となっている場合には、図２４（ｂ）に示すように、この嵌合化粧パネル５０４の嵌合部材５４１ａ〜５４１ｅは、開閉可動機構５４３が作動することで、ケーシング３に対して下降した状態となる。これにより、運転状態においては、送風ファン５が駆動することで、室内空気は、図２４（ｂ）に示すように、遮断対応開口４９ａ〜４９ｆを通過し、さらに、吸込口５３４ａ〜吸込口５３４ｅを通過して、ケーシング３内部に取り込まれる。このようにして取り込まれた空気は、吸込グリル３６を通過し、フィルタ３７によって埃が除去され、熱交換器６を流れる冷媒との熱交換により温度が調節されて、各吹出口５３５ａ〜５３５ｄを介して、再び室内に対して吹き出される。
【０１０７】
このように、空気調和装置５００でも、上述した第１〜第３実施形態の空気調和装置１，２００、３００と同様に、天井面がスッキリと見えるようにして意匠性を向上させることができる。また、運転状態における室内空気の取込は、嵌合化粧パネル４とケーシング３との離隔距離によって形成される水平方向の隙間を介した取込ではなく、停止状態から運転状態となった場合に各吸込口５３４ａ〜５３４ｅの位置と遮断対応開口４９ａ〜４９ｆの位置との位置関係のズレで生じる流路を介して行われている。これにより、室内空気のケーシング３内への取込を確保するには、各吸込口５３４ａ〜５３４ｅの位置と遮断対応開口４９ａ〜４９ｆの位置との位置関係のズレを確保することができれば充分であり、嵌合化粧パネル５０４をケーシング３に対して必要以上に離隔させなくて済む。これにより、嵌合化粧パネル５０４の運転状態における下降の程度を少なく抑えることができ、通気を用意に確保することができる。また、嵌合化粧パネル５０４の下降の程度が抑えられるため、天井から嵌合化粧パネル５０４が下降することによって、室内にいる人間が天井が低くなったような圧迫感を感じる等の不具合を抑えることができ、この点でも意匠性を向上させることができる。
【産業上の利用可能性】
【０１０８】
本発明によれば、意匠性を向上させつつ通気を確保することができるため、ユーザからよく見られる位置に配置されて意匠性が要求される空気調和装置への適用が特に有用である。
【図面の簡単な説明】
【０１０９】
【図１】本発明の第１実施形態に係る天井設置型の空気調和装置の外観斜視図。
【図２】空気調和装置のケーシング内部の側面断面図。
【図３】空気調和装置の概略平面断面図であって、天板を取り除いた状態を示す図。
【図４】（ａ）停止状態における分割化粧パネルの斜視図。           （ｂ）運転状態における分割化粧パネルの斜視図。
【図５】空気調和装置のケーシングの底面における平面図。
【図６】停止状態における分割化粧パネルの平面図。
【図７】運転状態における分割化粧パネルの平面図。
【図８】（ａ）  停止状態におけるケーシング内部の概略側面断面図。           （ｂ）  運転状態におけるケーシング内部の概略側面断面図。
【図９】（ａ）  変形例（Ａ）に係る空気調和装置の停止状態における分割化粧パネルの斜視図。           （ｂ）  変形例（Ａ）に係る空気調和装置の運転状態における分割化粧パネルの斜視図。
【図１０】（ａ）  変形例（Ｂ）に係る空気調和装置の停止状態における概略側面断面図。             （ｂ）  変形例（Ｂ）に係る空気調和装置の運転状態における概略側面断面図。
【図１１】変形例（Ｃ）に係る空気調和装置の概略側面断面図。
【図１２】（ａ）  変形例（Ｃ）に係る空気調和装置の停止状態における概略側面断面図。             （ｂ）  変形例（Ｃ）に係る空気調和装置の運転状態における概略側面断面図。
【図１３】変形例（Ｄ）に係る空気調和装置の概略側面断面図。
【図１４】（ａ）〜（ｄ）  変形例（Ｄ）に係る空気調和装置の概略側面断面図。
【図１５】（ａ）  第２実施形態に係る空気調和装置の停止状態における概略側面断開示図。             （ｂ）  第２実施形態に係る空気調和装置の運転状態における概略側面断面図。
【図１６】ケーシング側固定式の折りたたみ機構の段階別説明図。
【図１７】第２実施形態に係る空気調和装置の変形例（Ａ）におけるパネル側固定式の折りたたみ機構の段階別説明図。
【図１８】（ａ）  第２実施形態に係る空気調和装置の変形例（Ｂ）におけるパネル枠を有さない場合の一例。             （ｂ）  第２実施形態に係る空気調和装置の変形例（Ｂ）におけるパネル枠を有さない場合の他の一例。
【図１９】（ａ）  第３実施形態に係る空気調和装置の停止状態における概略側面断面図。             （ｂ）  第３実施形態に係る空気調和装置の運転状態における概略側面断面図。
【図２０】第３実施形態に係る空気調和装置のスライド開閉可動機構の部分拡大図。
【図２１】（ａ）  第３実施形態に係る空気調和装置の変形例（Ａ）。             （ｂ）  第３実施形態に係る空気調和装置の変形例（Ｂ）。             （ｃ）  第３実施形態に係る空気調和装置の変形例（Ｃ）。             （ｄ）  第３実施形態に係る空気調和装置の変形例（Ｄ）。
【図２２】（ａ）  他の実施形態（Ａ）における空気調和装置の停止状態における概略側面断面図。             （ｂ）  他の実施形態（Ａ）における空気調和装置の運転状態における概略側面断面図。
【図２３】他の実施形態（Ｂ）に係る空気調和装置。
【図２４】他の実施形態（Ｂ）に係る空気調和装置の部分拡大図。
【符号の説明】
【０１１０】
１    空気調和装置
３    ケーシング
４    分割化粧パネル（パネル部）
３３    底板（パネル枠）
３４    吸込口（第１通気口）
３５    吹出口（第２通気口）
３８    ケーシング支持部
３９    遮断部材（遮断部）
４１    分割パネル（第１〜第４分割パネル）
４３    開閉可動機構（開閉可動機構）
４４    角度調節機構
４５    フラップ（第１〜第４フラップ）
４８    パネル支持部
４９    遮断対応開口（遮断対応開口部）
２４３    折りたたみ開閉可動機構（折りたたみ機構）
３４３    スライド開閉可動機構（方向変更機構）
５０４    嵌合化粧パネル
Ｓ    スライドスペース
【図１】
2007285604.tif 000003
【図２】
2007285604.tif 000004
【図３】
2007285604.tif 000005
【図４】
2007285604.tif 000006
【図５】
2007285604.tif 000007
【図６】
2007285604.tif 000008
【図７】
2007285604.tif 000009
【図８】
2007285604.tif 000010
【図９】
2007285604.tif 000011
【図１０】
2007285604.tif 000012
【図１１】
2007285604.tif 000013
【図１２】
2007285604.tif 000014
【図１３】
2007285604.tif 000015
【図１４】
2007285604.tif 000016
【図１５】
2007285604.tif 000017
【図１６】
2007285604.tif 000018
【図１７】
2007285604.tif 000019
【図１８】
2007285604.tif 000020
【図１９】
2007285604.tif 000021
【図２０】
2007285604.tif 000022
【図２１】
2007285604.tif 000023
【図２２】
2007285604.tif 000024
【図２３】
2007285604.tif 000025
【図２４】
2007285604.tif 000026